(57)【要約】      （修正有）【課題】和紙としての風合いを損ねることなく、表面から透かしを見ることができる透かし入り和紙を提供する。【解決手段】第１の紙に、厚みの変化によって透かし模様が形成されており、前記第１の紙と色合いの異なる第２の紙を重ねたことを特徴とする。さらに第１の紙の他方の面に、第３の紙を重ね、第１の紙の厚さを、他の紙よりも厚く仕上げ、第１の紙を漉く原料の繊維を短くするとともに、他の紙を漉く原料の繊維を長くしたことを特徴とする。【選択図】図２
0003152420.tif 000002
【実用新案登録請求の範囲】
【請求項１】
第１の紙に、厚みの変化によって透かし模様が形成されており、前記第１の紙と色合いの異なる第２の紙を重ねたことを特徴とする透かし入り和紙。
【請求項２】
第１の紙の他方の面に、第３の紙を重ねたことを特徴とする請求項１記載の透かし入り和紙。
【請求項３】
前記第1の紙の厚さを、他の紙よりも厚く仕上げたことを特徴とする請求項１又は２記載の透かし入り和紙。
【請求項４】
前記第１の紙を漉く原料の繊維を短くするとともに、他の紙を漉く原料の繊維を長くしたことを特徴とする請求項１〜３のいずれか１項に記載の透かし入り和紙。
【請求項５】
繊維が短い紙料液で漉いた第１の紙，
該第１の紙と異なる色合いであり、かつ、繊維が長い紙料液に対して、透かし模様に対応する版が形成された枠で漉くことで、透かし模様に対応する部分の厚みが他の部分よりも薄く形成されている第２の紙，
繊維が長い紙料液で漉いた第３の紙，
を重ねた構造となっており、
前記第１の紙の表裏に、前記第２の紙及び前記第３の紙をそれぞれ重ね、前記紙料液中のつなぎ剤により各紙を接着して一体としたことを特徴とする透かし入り和紙。
【考案の詳細な説明】
【技術分野】
【０００１】
本考案は、透かし入りの和紙に関するものである。
【背景技術】
【０００２】
透かしは、偽造防止などのために紙に入れる文字や絵などの模様で、一般的には、光に透かして見ることで、すなわち光を透過させることで、紙上に模様が浮かび上がるようになっている。例えば、下記特許文献１には、紙と織物とを重複させた和紙複合材料であって、照明器具のシェード用として適用される透光性の透かしが開示されている。
【先行技術文献】
【特許文献】
【０００３】
【特許文献１】特開２０００−１９０４１３
【考案の概要】
【考案が解決しようとする課題】
【０００４】
ところで、上述した透光性の透かし入り紙で例えば賞状などを作成し、これを額縁に納めると、光が透過しないために、折角の透かしを見ることができない。紙面における光の反射によって透かしをみることができる装飾性，趣向性に優れたものがあると好都合である。また、和紙は、その独特の風合いが好まれるものであり、かかる風合いを損ねると和紙としての価値が低下してしまう。
【０００５】
本考案は、以上の点に着目したもので、和紙としての風合いを損ねることなく、表面から透かしを見ることができる透かし入り和紙を提供することを、その目的とする。
【課題を解決するための手段】
【０００６】
前記目的を達成するため、本考案の透かし入り和紙は、第１の紙に、厚みの変化によって透かし模様が形成されており、前記第１の紙と色合いの異なる第２の紙を重ねたことを特徴とする。主要な形態の一つは、第１の紙の他方の面に、第３の紙を重ねたことを特徴とする。他の形態の一つは、前記第1の紙の厚さを、他の紙よりも厚く仕上げたことを特徴とする。更に他の形態の一つは、前記第１の紙を漉く原料の繊維を短くするとともに、他の紙を漉く原料の繊維を長くしたことを特徴とする。他の考案は、繊維が短い紙料液で漉いた第１の紙，該第１の紙と異なる色合いであり、かつ、繊維が長い紙料液に対して、透かし模様に対応する版が形成された枠で漉くことで、透かし模様に対応する部分の厚みが他の部分よりも薄く形成されている第２の紙，繊維が長い紙料液で漉いた第３の紙，を重ねた構造となっており、前記第１の紙の表裏に、前記第２の紙及び前記第３の紙をそれぞれ重ね、前記紙料液中のつなぎ剤により各紙を接着して一体としたことを特徴とする。本考案の前記及び他の目的，特徴，利点は、以下の詳細な説明及び添付図面から明瞭になろう。
【考案の効果】
【０００７】
本考案によれば、透かし模様を形成した和紙を色合いの異なる和紙上に重ねることとしたので、和紙としての風合いを損ねることなく、紙面による光の反射によって透かしを見ることができる和紙が得られる。
【図面の簡単な説明】
【０００８】
【図１】本考案の和紙の主要製造手順の一例を示す説明図である。
【図２】本考案の和紙の積層構造の例を示す断面図である。
【考案を実施するための形態】
【０００９】
以下、本考案を実施するための最良の形態を、実施例に基づいて詳細に説明する。
【実施例１】
【００１０】
最初に、図１及び図２(A)を参照しながら、本考案の実施例１について説明する。図１には、本実施例の主要製造手順が示されている。まず、図１(A)に示すように、パルプを主とする原料とトロロアオイなどのつなぎ剤を混ぜた無着色の紙料液１０を入れた紙漉き用の舟１２を用意し、枠１４で中紙１６を漉く。そして、漉いた中紙１６を一度枠１４から取り出す。中紙１６は、比較的繊維が短く、無着色で原料の色となっている。厚さは、例えば０．２ｍｍである。
【００１１】
次に、図１(B)に示すように、ミツマタなどの紙原料，トロロアオイなどのつなぎ剤，染料（顔料），水，をそれぞれ加えて混ぜることにより着色した紙料液２０を入れた舟２２を用意し、前記枠１４で漉く。これによって得た下紙２６は、ミツマタなどによる紙で、比較的繊維が長く、色付きとなっている。厚さは、例えば０．１ｍｍである。
【００１２】
以上のような下紙２６は、図１(C)に示すように、前記中紙１６に重ねられる。すると、トロロアオイの効果によって、中紙１６と下紙２６が接着して一体となり、一枚の重ね紙２８となる。この重ね紙２８は、図１(D)に示すように上下を反転させる。
【００１３】
次に、図１(E)に示すように、透かし模様に対応する版３０を貼り付けた枠３４を用意する。版３０は、例えば、絵柄や文字などの透かし模様に対応するパターンに切り取った粘着シートを、枠３４の簀網上に貼り付けることで得られる。粘着シートとしては、紙料液に浸しても型崩れせず、十分に状態が維持されるものであれば、どのようなものでもよいが、粘着層が形成された樹脂製シートなどが好適である。このような枠３４を使用して、舟２２で上紙３６を漉く。上紙３６は、前記下紙２６と同様に、ミツマタなどによる紙で、比較的繊維が長く、色付きとなっている。厚さは、例えば０．１ｍｍである。
【００１４】
以上のような上紙３６は、図１(F)に示すように、上述した重ね紙２８の上に重ねられる。すると、トロロアオイの効果によって、中紙１６と上紙３６が接着して一体となり、全体が一枚の透かし和紙４０となる。すなわち、図２(A)に断面を示すように、下から、下紙２６，中紙１６，上紙３６が重ねられた三層の透かし和紙４０が出来上がる。
【００１５】
以上のようにして得た透かし和紙４０を見ると、上紙３６の透かし３８の部分では、上述した版３０の影響で、厚さが他の部分よりも薄くなっている。また、上紙３６は着色されており、中紙１６は着色されていない。このため、上紙３６側から見ると、上紙３６側から入射した光が透かし３８の部分で中紙１６によって反射され、中紙１６の色が見えるようになり、結果的に、上紙３６側から透かし３８を見ることができることとなる。従って、透かし和紙４０を例えば賞状などに使用し、賞状を額縁の中に納めたとしても、透かし３８を見ることができる。
【００１６】
また、透かし３８の部分で紙が薄くなるが、繊維の長い原料を使用するため、透かし３８の部分で強度が不足するなどの恐れはない。更に、中紙１６，下紙２６，上紙３６の各層がいずれも和紙で同じ地合となっているため、三層構造でありながら全体として一体感が醸し出され、透かし模様も見えるという優れた装飾性，デザイン性を発揮する。
【００１７】
なお、上紙３６を厚く仕上げると、透かし３８の部分で原料が少ないために、上紙全体として凹凸が大きくなり、印刷不良の原因となる，裏面における平滑性が損なわれるといった不都合が生ずる恐れがある。しかし、本実施例のように、中紙１６を下紙２６や上紙３６よりも厚く仕上げるようにすれば、そのような不都合を低減することができる。
【実施例２】
【００１８】
次に、図２(B)及び(C)を参照しながら、本考案の実施例２について説明する。上述した実施例１は三層構造であったが、図２(B)の透かし和紙５０は、中紙１６と上紙３６の二層構造となっており、下紙２６を省いた構造となっている。この例によれば、表裏で紙の地合が異なるため、全体としての一体感がなく、前記実施例１と比較して質感の面で多少劣るが、光に翳すことなく透かしを見ることはできる。
【００１９】
図２(C)の透かし和紙６０は、下紙６６にも透かし６８を入れた例である。下紙６６の透かし６８と、上紙３６の透かし３８は、同一の模様でもよいし、異なる模様でもよい。また、同一の模様を異なる位置に入れてもよいし、同一の位置に入れてもよい。この例によれば、表裏で透かしが異なるように入れることができ、装飾性，趣向性を高めることができる。
【００２０】
なお、本考案は、上述した実施例に限定されるものではなく、本考案の要旨を逸脱しない範囲内において種々変更を加え得ることができる。例えば、以下のものも含まれる。
(1)和紙あるいはつなぎ剤の材料としては、前記実施例で示したものの他、各種の公知のものを使用してよい。
(2)透かし模様としては、図形や文字など、所望のものとしてよい。版に厚さの変化を設けることで、より精細な透かし模様を形成するようにしてもよい。
(3)前記実施例では、上紙と下紙で同じ舟を使用したが、もちろん、必要に応じて個別の舟を用意することを妨げるものではない。
(4)前記実施例とは逆に、上紙及び下紙を無着色とし、中紙を着色としてもよい。この場合、上紙の透かし部分において、中紙の色が見えるようになる。また、上紙，下紙，中紙は、それらすべてを着色したとしても、色の種類や濃淡によっては透かしを見ることができる。更に、紙の間の色合いの変化は、着色する色を変更するのみならず、紙の材料を変更するなど、結果的に紙の色合いが異なるようであれば、どのような手段であってもよい。
(5)前記実施例では、上紙及び下紙を同じ着色としたが、これは、紙の表裏を同一ないし近似した色合いとすることで、三層構造でありながら一枚の和紙のような一体感を全体として醸し出すことができるためである。従って、好みに応じて上紙と下紙を異なる色合いとすることを妨げるものではない。
(6)前記実施例では、中紙としてパルプを主原料としたが、これは主として経済的な理由であり、もちろん、中紙の原料として、上紙や下紙と同様のミツマタなどを使用してもよい。
【産業上の利用可能性】
【００２１】
本考案によれば、厚みの変化によって透かし模様を形成した上紙を、色合いの異なる中紙上に重ねることとしたので、和紙としての風合いを損ねることなく、光の反射によって透かしを見ることができ、各種の賞状や証書などの用途に好適である。
【符号の説明】
【００２２】
１０：紙料液
１２：舟
１４：枠
１６：中紙
２０：紙料液
２２：舟
２６：下紙
２８：重ね紙
３０：版
３４：枠
３６：上紙
３８：透かし
４０：透かし和紙
５０：透かし和紙
６０：透かし和紙
６６：下紙
６８：透かし
【図１】
0003152420.tif 000003
【図２】
0003152420.tif 000004